(57)【要約】【課題】監視カメラのレンズ部に貯水施設からの放流による飛散した水飛沫の水滴が付着することを抑制することを目的とする。【解決手段】監視カメラシステムは、貯水施設を監視する監視カメラに対する風向および風速を測定する測定装置と、前記監視カメラの撮影視野の前面に送風する送風装置と、前記送風装置を制御する送風制御装置と、を備え、前記送風制御装置は、前記監視カメラに対する風向のデータおよび風速のデータを前記測定装置から受信して、前記風向のデータおよび風速のデータに基づいて、前記監視カメラの撮影視野の前面に送風する送風量を決定する決定部を備える。【選択図】図３
2015156538.tif 000002
【特許請求の範囲】
【請求項１】
貯水施設を監視する監視カメラに対する風向のデータおよび風速のデータに基づいて、前記監視カメラの撮影視野の前面に送風を行う送風量を制御する、
処理をコンピュータに実行させる送風制御プログラム。
【請求項２】
前記風向のデータに基づいて、前記送風の送風方向を制御する、
処理を前記コンピュータに実行させる請求項１記載の送風制御プログラム。
【請求項３】
前記貯水施設が放流を開始したことを示す情報を受信したときに、送風を開始する制御を行い、前記貯水施設が放流を終了したことを示す情報を受信後に、送風を停止する制御を行う、
処理を前記コンピュータに実行させる請求項１または２記載の送風制御プログラム。
【請求項４】
前記貯水施設から放流される放流量に応じて前記送風量を制御する、
処理を前記コンピュータに実行させる請求項１乃至３のうち何れか１項に記載の送風制御プログラム。
【請求項５】
前記風速のデータと複数の風速に対応したポイントを示す風速ポイント表とに基づいて、前記監視カメラに対する風速のポイントを判定し、
前記風向のデータと複数の風向に対応したポイントを示す風向ポイント表とに基づいて、前記監視カメラに対する風向のポイントを判定し、
前記風向のポイントと前記風速のポイントとを加算し、加算した結果に基づいて、前記送風量を決定する、
処理を前記コンピュータに実行させる請求項１乃至４のうち何れか１項に記載の送風制御プログラム。
【請求項６】
前記風向ポイント表は、前記監視カメラの撮影視野に対して相対する方向からの風向のポイントが最も高く、時計回りおよび反時計回りに、段階的にポイントが低くなり、前記相対する方向の反対方向の風向のポイントが最も低くなる表であり、
前記風向ポイント表に基づいて、前記監視カメラに対する風向のポイントを判定する、
処理を前記コンピュータに実行させる請求項５記載の送風制御プログラム。
【請求項７】
貯水施設を監視する監視カメラに対する風向のデータおよび風速のデータに基づいて、前記監視カメラの撮影視野の前面に送風を行う送風量を制御する、
送風制御方法。
【請求項８】
貯水施設を監視する監視カメラに対する風向のデータおよび風速のデータに基づいて、前記監視カメラの撮影視野の前面に送風する送風量を決定する決定部、
を備える送風制御装置。
【請求項９】
貯水施設を監視する監視カメラに対する風向および風速を測定する測定装置と、
前記監視カメラの撮影視野の前面に送風する送風装置と、
前記送風装置を制御する送風制御装置と、
を備え、
前記送風制御装置は、前記監視カメラに対する風向のデータおよび風速のデータを前記測定装置から受信して、前記風向のデータおよび風速のデータに基づいて、前記監視カメラの撮影視野の前面に送風する送風量を決定する決定部を備える、
監視カメラシステム。
【発明の詳細な説明】
【技術分野】
【０００１】
本発明は、送風制御プログラム、送風制御方法、送風制御装置および監視カメラシステムに関する。
【背景技術】
【０００２】
ダムや堰堤等の貯水施設は、ゲートを開放することにより、貯水している水を放流する。貯水施設では、放流状態の確認や安全性の確保等の観点から、貯水施設を監視する監視カメラが貯水施設の周辺に設置される。
【０００３】
貯水施設のゲートが開放されることにより、貯水している水が放流される。放流時には、放流された水が水飛沫となって周辺に飛散する。飛散した水飛沫により、監視カメラのレンズ部に水滴が付着する。レンズ部に水滴が付着すると、監視カメラが撮影している映像が不鮮明になる。
【０００４】
また、水滴には化学物質が含まれている場合があり、レンズ部に付着した水滴が乾燥すると、化学物質が結晶化する。この結晶化した化学物質により、監視カメラが撮影する映像にハレーション等が発生し、監視カメラの映像を劣化させる。
【０００５】
従って、レンズ部に水滴が付着したときには、水滴が乾燥する前に、付着した水滴をレンズ部から除去する必要がある。水滴は比較的早く乾燥し、また水滴には化学物質が含まれることから、放流時には、化学物質を除去する洗浄液をレンズ部に供給し、ワイパーで水滴を除去する。
【０００６】
関連する技術として、高圧空気に洗浄水を混入させ、微粒子化した水粒をレンズに噴射する技術が提案されている。また、降雨の発生を自動検知し、前面ガラスに着いた水滴を自動的に除去する技術が提案されている（例えば、特許文献１、２参照）。
【先行技術文献】
【特許文献】
【０００７】
【特許文献１】特開２０１３−１０００７７号公報
【特許文献２】特開２０００−１７１８７８号公報
【発明の概要】
【発明が解決しようとする課題】
【０００８】
貯水施設が放流を行うときには、大量の水が放流されることが多い。大量の水が放流された場合、放流時には、貯水施設の周辺に大量の水飛沫が飛散するため、監視カメラのレンズ部にも短時間のうちに大量の水滴が付着する。従って、レンズ部に対して頻繁に洗浄液を供給して、ワイパーを高速で動作させて、レンズ部に付着した水滴を除去する。
【０００９】
ワイパーを高速で動作させると、監視カメラが撮影する映像に頻繁にワイパーが映り込む。このため、監視カメラが監視する対象の状態を確認することが難しくなる。また、ワイパーの劣化速度も速くなり、洗浄液の消費量も多くなる。このため、必要となるメンテナンスの頻度も多くなる。さらに、監視カメラが高所に設置されている場合には、メンテナンスを頻繁に行うことは難しい。
【００１０】
１つの側面では、監視カメラのレンズ部に貯水施設からの放流による飛散した水飛沫の水滴が付着することを抑制することを目的とする。
【課題を解決するための手段】
【００１１】
１つの態様では、送風制御プログラムは、貯水施設を監視する監視カメラに対する風向のデータおよび風速のデータに基づいて、前記監視カメラの撮影視野の前面に送風を行う送風量を制御する処理をコンピュータに実行させる。
【発明の効果】
【００１２】
１つの側面として、監視カメラのレンズ部に貯水施設からの放流による飛散した水飛沫の水滴が付着することを抑制することができる。
【図面の簡単な説明】
【００１３】
【図１】監視カメラの一例を示す斜視図である。
【図２】監視カメラシステムの一例を示すブロック図である。
【図３】送風制御部の一例を示すブロック図である。
【図４】実施形態の処理の一例を示すフローチャートである。
【図５】送風制御の処理の一例を示すフローチャート（その１）である。
【図６】送風制御の処理の一例を示すフローチャート（その２）である。
【図７】送風制御の処理の一例を示すフローチャート（その３）である。
【図８】風向、風向ポイントおよび風速ポイントの一例を示す図である。
【図９】送風量決定および送風方向決定の一例を示す図である。
【図１０】送風方向の変化の一例を示す図である。
【図１１】風向、風向ポイントおよび風速ポイントの他の例を示す図である。
【図１２】送風制御部のハードウェア構成の一例を示す図である。
【発明を実施するための形態】
【００１４】
以下、図面を参照して、実施形態について説明する。実施形態では、貯水施設はダムであるものとするが、ダムには限定されない。例えば、貯水施設は、ダムより小規模な堰堤であってもよい。また、ダムの規模は大型であってもよいし、小型であってもよい。
【００１５】
ダムの周辺には、ダムを監視する監視カメラが設置されている。監視カメラは、例えば、貯水施設を中心として、半径１００メートル〜５００メートル圏内に配置してもよい。ただし、周囲環境や監視カメラの機能によっては、監視カメラは貯水施設を中心として１００メートル以内または５００メートル圏外に設置されてもよい。
【００１６】
図１は、監視カメラ１の一例を示している。図１の監視カメラ１は、筐体２の一面にレンズ部３が設けられている。レンズ部３がレンズとレンズカバーとを含んでいる場合には、外側に位置する部位はレンズカバーになる。レンズ部３がレンズカバーを含んでいない場合には、外側に位置する部位はレンズになる。図１の一例では、レンズ部３は平面レンズを示しているが、レンズ部３は平面レンズには限定されない。例えば、レンズ部３は、球面レンズや非球面レンズ等であってもよい。
【００１７】
筐体２のレンズ部３の周囲には、レンズフード４が設けられている。レンズフード４の上部には送風装置５が設けられている。送風装置５は監視カメラ１の撮影視野の前面に送風を行う装置である。つまり、送風装置５は、監視カメラ１のレンズ部３の前面に送風を行う。筐体２にレンズフード４が設けられていない場合には、送風装置５は筐体２に取り付けられていてもよい。
【００１８】
送風装置５は送風を行う送風孔６を有している。図１では、スリット状の送風孔６を例示しているが、送風孔６はスリット状でなくてもよい。また、送風装置５は、レンズ部３の前面に送風を行うことができれば、送風孔６から送風を行うものでなくてもよい。
【００１９】
送風装置５が送風孔６から送風を行うことにより、レンズ部３の前面（つまり、監視カメラ１の撮影視野の前面）には空気流７が形成される。空気流７は、エアカーテンと称することもできる。図１の例では、送風装置５は、送風孔６から送風を行うことで、空気流７を垂直方向下方に向けて形成している。ただし、送風装置５は、送風孔６を制御することで、送風方向を変えることができ、これに伴い空気流７の方向も変化する。
【００２０】
空気流７は、ダムの放流時に発生する水飛沫からレンズ部３を保護する。ダムの放流時にレンズ部３に向けて水飛沫が飛散したとしても、水飛沫は空気流７により遮られる。この空気流７により、レンズ部３に水滴が付着することを抑制することができる。
【００２１】
送風装置５は送風量をコントロールすることができる。送風量は、送風強度としてもよい。送風量が多くなるほど、強力な空気流７がレンズ部３の前面に形成される。ただし、送風量が多くなるほど、送風装置５が消費する電力も多くなる。一方、送風装置５から送風される送風量が少なくなるほど、レンズの３の前面に形成される空気流７は強力ではなくなる。ただし、送風装置５が消費する電力は少なくなる。
【００２２】
次に、図２を参照して、監視カメラシステム１０の一例について説明する。監視カメラシステム１０は、送風装置５と風向風速計１１とゲート開閉制御装置１２とを備えている。風向風速計１１は、監視カメラ１に対する風向および風速を測定する。風向風速計１１は、測定装置の一例である。
【００２３】
ゲート開閉制御装置１２は、ダムのゲートの開閉制御を行う。例えば、ゲート開閉制御装置１２は、ダムの管理所の操作盤に接続することができる。ダムの管理者は、操作盤を用いてダムの開閉操作を行う。ゲート開閉制御装置１２は、操作盤の操作に基づいて、ダムの各ゲートの開閉制御を行う。
【００２４】
ダムには１つのゲートが設けられている場合もあり、複数のゲートが設けられている場合もある。実施形態では、ダムには複数のゲートが設けられているものとする。ゲート開閉制御装置１２は、各ゲートの開閉制御を行う。
【００２５】
また、ゲート開閉制御装置１２は、各ゲートの開放率をコントロールする。ゲートの開放率が低い場合には、当該ゲートから放流される水の放流量は少ない。一方、ゲートの開放率が高い場合には、当該ゲートから放流される水量は多くなる。１つのゲートの開放率が低い場合でも、複数のゲートが開放されると、放流量は多くなる。ダムのゲートのうち、何れかのゲートが開放すると、放流が開始する。一方、全てのゲートが閉鎖すると、放流は停止する。
【００２６】
風向風速計１１と送風装置５とは通信可能に接続されている。風向風速計１１は計測する風向および風速のデータを送風装置５に送信する。以下、風向のデータを風向データ、風速のデータを風速データと称することもある。また、風向データと風速データとを総称して風向風速データと称することもある。
【００２７】
ゲート開閉制御装置１２と送風装置５とは通信可能に接続されている。ゲート開閉制御装置１２は、ダムの各ゲートに関するデータ（以下、ゲート状態データと称する）を送風装置５に送信する。例えば、ゲート状態データは、放流を開始したことを示す情報（以下、放流開始情報と称する）と、放流を終了したことを示す情報（以下、放流終了情報と称する）と、各ゲートの開放率の情報と、を含んでもよい。
【００２８】
図３は、送風装置５の一例を示す。送風装置５は、送風制御部２０と風発生装置２１Ａと送風方向制御装置２１Ｂとを備える。送風制御部２０は風発生装置２１Ａおよび送風方向制御装置２１Ｂを制御する。送風制御部２０は、送風制御装置の一例である。
【００２９】
風発生装置２１Ａは、送風孔６から送風を行うための装置である。風発生装置２１Ａは、例えばファンやエアコンプレッサ等を用いることができる。実施形態では、風発生装置２１Ａはファンであるものとする。風発生装置２１Ａは、送風制御部２０から指示された送風量に基づいて、ファンを回転して、送風を行う。
【００３０】
送風制御部２０から指示された送風量が多い場合には、風発生装置２１Ａはファンを高速回転させる。これにより、送風装置５はレンズ部３の前面に対して強い送風を行う。一方、送風制御部２０から指示された送風量が少ない場合には、風発生装置２１Ａはファンを低速回転させる。これにより、送風装置５がレンズ部３の前面に対して弱い送風を行う。
【００３１】
また、送風方向制御装置２１Ｂは、送風方向を制御する。実施形態では、送風方向制御装置２１Ｂは、送風孔６のスリットの角度をコントロールすることで、送風方向をコントロールする。送風方向のコントロールは送風孔６のスリットの角度コントロールには限定されない。例えば、送風孔６にルーバが設けられている場合には、送風方向制御装置２１Ｂは、ルーバの角度をコントロールすることで、送風方向をコントロールする。
【００３２】
送風制御部２０について説明する。一例として、送風制御部２０は、通信部２２とポイント表記憶部２３とポイント処理部２４と放流量判定部２５と送風量決定部２６と送風量指示部２７と送風方向決定部２８と送風方向指示部２９とを備えている。
【００３３】
通信部２２は、風向風速計１１およびゲート開閉制御装置１２と通信を行う。通信部２２は、ゲート開閉制御装置１２からゲート状態データを受信する。また、通信部２２は、風向風速計１１から風向風速データを受信する。
【００３４】
ポイント表記憶部２３は、風向風速データに応じたポイントを表形式、つまりテーブル形式で記憶している。ポイント表記憶部２３が記憶するポイントは、送風装置５が送風する送風量を決定するときに用いられる。ポイント表記憶部２３は、予めポイント表を記憶している。
【００３５】
ポイント処理部２４は、風向風速計１１から受信した風向風速データとポイント表記憶部２３が記憶しているポイント表とに基づいて、送風ポイントを演算する。ポイント処理部２４は、演算した送風ポイントを送風量決定部２６に出力する。
【００３６】
放流量判定部２５は、ダムから放流される放流量のレベルを判定する。通信部２２は、ゲート開閉制御装置１２からゲート状態データを受信する。ゲート状態データは、ダムの各ゲートの開放率を含んでいる。放流量判定部２５は、ゲート状態データに含まれる各ゲートの開放率に基づいて、放流量のレベルを判定する。
【００３７】
実施形態では、放流量のレベルは、大または小の２段階のレベルであるものとする。放流量判定部２５は、予め放流量のレベルを判定するための閾値を記憶している。この閾値を放流量閾値と称する。実施形態では、放流量閾値は、最大放流量の５０％とする。最大放流量は、ダムの全ゲートの開放率が１００％のときの放流量とすることができる。
【００３８】
放流量のレベルは、２段階のレベルではなく、３段階以上のレベルに分けてもよい。例えば、放流量が大・中・小の３段階のレベルに分けてもよい。放流量のレベルが３段階以上に分けられる場合には、放流量閾値は複数になる。
【００３９】
また、放流量のレベルが２段階のレベルに分けられるとき、放流量閾値は最大放流量に対して５０％ではなく、任意の割合に設定してもよい。例えば、放流量閾値は最大放流量の４５％等に設定してもよい。
【００４０】
放流量判定部２５は、ゲート状態データに含まれる各ゲートの開放率に基づいて、放流量を判定する。放流量判定部２５は、放流量が放流量閾値以上である場合に、放流量が大のレベルであると判定し、放流量が放流量閾値未満である場合に、放流量が小のレベルであると判定する。
【００４１】
送風量決定部２６は、送風装置５が送風する送風量を決定する。上述したように、送風量は送風強度と称することもできる。図３の例では、送風量決定部２６は、第一次送風量決定部２６Ａと最終送風量決定部２６Ｂとを有している。送風量決定部２６は、決定部の一例である。
【００４２】
第一次送風量決定部２６Ａは、ポイント処理部２４が演算した送風ポイントに基づいて、第一次送風量を決定する。最終送風量決定部２６Ｂは、第一次送風量と放流量判定部２５が判定した放流量とに基づいて、最終的な送風量を決定する。
【００４３】
送風量決定部２６は、最終送風量決定部２６Ｂが決定した最終送風量を送風量指示部２７に出力する。送風量指示部２７は、入力した最終送風量で送風するように、風発生装置２１Ａに指示を出す。風発生装置２１Ａは、この指示に基づいた送風量の風を発生させる。
【００４４】
送風方向決定部２８は、風向風速計１１から受信した風向データに基づいて、送風装置５が送風を行う方向を決定する。送風方向決定部２８は、風向データが示す風向に逆らう方向に送風するように送風方向を決定する。また、送風方向決定部２８は、送風量決定部２６から最終送風量のデータを入力する。送風方向決定部２８は、最終送風量が「０」の場合には、送風方向のコントロールを行わないことを決定する。
【００４５】
送風方向指示部２９は、送風方向決定部２８が決定した送風方向を入力する。送風方向指示部２９は、入力した送風方向で送風を行うように、送風方向制御装置２１Ｂに指示を出す。例えば、送風方向制御装置２１Ｂは、送風方向指示部２９からの指示に基づいて、送風孔６のスリットの方向を変更する。
【００４６】
次に、実施形態の処理の一例について説明する。初期的には、ダムは放流を行っていないものとする。例えば、管理者は、操作盤を用いて、ダムのゲートを開放する操作を行う。この操作の情報に基づいて、ダム開閉制御装置１２は、ダムのゲートを開放する。一方、ダムの放流が行われているときに、管理者が、操作盤を用いて、ダムのゲートを閉鎖する操作を行う。この操作の情報に基づいて、ダム開閉制御装置１２は、ダムのゲートを全て閉鎖する。その結果、放流が終了する。
【００４７】
ゲート開閉制御装置１２は、ダムに設けた各ゲートのうち何れかのゲートが開放されると、放流が開始されたことを示す放流開始情報を送風制御部２０に送信する。送風制御部２０は、放流開始情報を受信することにより、放流が開始されたことを認識する。
【００４８】
また、放流を終了するときには、ゲート開閉制御装置１２は、放流終了情報を送風制御部２０に送信する。送風制御部２０は、放流終了情報を受信することにより、放流が終了したことを認識する。
【００４９】
なお、ゲート開閉制御装置１２が常に各ゲートの開放率のデータを送風制御部２０に送信している場合には、ゲート開閉制御装置１２は、放流開始情報を受信しなくても、放流の開始を認識できる。同様に、ゲート開閉制御装置１２は、放流終了情報受信しなくても、放流の終了を認識できる。
【００５０】
ゲート開閉制御装置１２が常に各ゲートの開放率のデータを送風制御部２０に送信している場合、送風制御部２０は、各ゲートの開放率の変化を認識することができる。送風制御部２０は、全てのゲートの開放率が「０」の状態から変化したときに、放流が開始されたことを認識することができる。また、送風制御部２０は、全てのゲートの開放率が「０」に変化したときに、放流が終了したことを認識できる。
【００５１】
図４は、実施形態の全体の処理の一例を示している。最初に、送風制御部２０は、放流が開始されたか否かを判定する（ステップＳ１）。送風制御部２０は、放流開始情報に基づいて、放流の開始を認識したときに（ステップＳ１でＹＥＳ）、送風制御を行う（ステップＳ２）。一方、送風制御部２０が放流の開始を認識しないときには、処理はステップＳ２に進まない。
【００５２】
送風制御部２０は、放流開始情報を受信したことをトリガとして、送風制御を開始する（ステップＳ２）。送風制御部２０は、送風装置５がレンズ部３の前面に適切な送風量で送風を行うように風発生装置２１Ａを制御する。送風方向の制御を行う場合には、送風制御部２０は、送風装置５が適切な送風方向でレンズ部３の前面に送風を行うように送風方向制御装置２１Ｂを制御する。
【００５３】
風向風速計１１は、所定間隔ごとに風向風速データを送風制御部２０に送信する。送風制御部２０は、受信する風向データと風速データとのうち少なくとも一方に変化があったか否かの判定を行う（ステップＳ３）。なお、風向風速計１１は常に風向風速データを送風制御部２０に送信し、常に上記の変化があったか否かの判定を行ってもよい。
【００５４】
受信した風向データと風速データとのうち少なくとも一方に変化があった場合（ステップＳ３でＹＥＳ）、送風制御部２０は、変化後の風向データと風速データとに基づいて、新たな送風量を決定する。また、送風装置５は、送風方向を制御するときには、新たな送風方向を決定する。そして、送風装置５は、適切な送風量および送風方向となるように送風制御を行う（ステップＳ４）。
【００５５】
このステップＳ４の送風制御は、ステップＳ２の送風制御とほぼ同じである。ステップＳ３において、受信する風向データおよび風速データに変化がない場合には、ステップＳ４の送風制御は行わない。風向データおよび風速データに変化がなければ、適切な送風量および送風方向で送風がされているためである。
【００５６】
送風制御部２０は、放流が終了したか否かを判定する（ステップＳ５）。送風制御部２０は、放流終了情報に基づいて、放流の終了を認識したときに（ステップＳ５でＹＥＳ）、送風を停止する（ステップＳ６）。一方、送風制御部２０が放流の終了を認識しないときには、処理はステップＳ３に戻る。
【００５７】
上述したように、送風制御部２０は、放流が開始されたことを認識したときに、送風を開始するように風発生装置２１Ａを制御する。また、送風制御部２０は、放流が停止されたことを認識したときに、送風を停止するように風発生装置２１Ａを制御する。つまり、放流の開始および終了に連動して、送風制御部２０は、送風の開始および停止の制御を行う。
【００５８】
次に、図５乃至図７に一例として示すフローチャートを参照して、ステップＳ２の送風制御について説明する。図５のフローチャートに示すように、送風制御部２０は、基本送風量を確認する（ステップＳ１１）。
【００５９】
貯水施設の規模や構造は、貯水施設によって異なる。例えば、大規模の貯水施設の高所にゲートが設置されている場合には、飛散する水飛沫の量は多くなる。一方、小規模の貯水施設の低所にゲートが設置されている場合には、飛散する水飛沫の量は少なくなる。
【００６０】
従って、貯水施設の規模や構造によって基本送風量を設定してもよい。基本送風量は、送風装置５が送風を行う送風量の基準値とすることができる。基本送風量は、送風制御部２０に既知の値として記憶されている。上述した、第一次送風量および最終送風量は、基本送風量を基準とした相対値としてもよい。
【００６１】
次に、ポイント処理部２４は、風向風速計１１から受信した風速データと、ポイント表記憶部２３に記憶されている風速ポイント表と、に基づいて、風速ポイントを判定する（ステップＳ１２）。図８は、風速ポイント表の一例を示している。
【００６２】
風速ポイント表には、風速データに応じた風速ポイントが設定されている。図８の一例に示すように、風速が強くなるに応じて風速ポイントが大きくなる。図８の風速ポイント表は一例であり、風速データと風速ポイントとの関係は、図８の例には限定されない。図８の例では、風速ポイントは４段階になっているが、２段階、３段階または５段階以上であってもよい。
【００６３】
ポイント処理部２４は、風向風速計１１から受信した風向データと、ポイント表記憶部２３に記憶されている風向ポイント表とに基づいて、風向ポイントを判定する（ステップＳ１３）。図８は、風向ポイント表の一例を示している。
【００６４】
図８の一例では、監視カメラ１を中心として、監視カメラ１に対する風向が１６方位に分割されている。風向１６番がレンズ部３に対して相対する方向である。このため、風向が１６番の場合には、水飛沫はレンズ部３に相対する方向から飛散するため、水滴が最もレンズ部３に付着しやすい。
【００６５】
一方、風向８番は監視カメラ１の後方から前方に向かう風向である。このため、風向が８番の場合には、水飛沫は、監視カメラ１の後方部分に飛散するため、水滴が最もレンズ部３に付着しにくい。
【００６６】
図８に一例として示す風向ポイント表では、風向が４番および１２番の場合にポイントが「０」になっている。監視カメラ１に対する風向が側方からの方向である場合に、ポイントが「０」になる。そして、監視カメラ１に対する風向が側方から前方になるにしたがって、ポイントは段階的に大きくなる。一方、監視カメラ１に対する風向が側方から後方になるにしたがって、ポイントは段階的に小さくなる。
【００６７】
このため、風向が４番のときにポイントは「０」になり、風向が１６番のとき、つまり風向が監視カメラ１のレンズ部３に相対する方向のときに、ポイントが最も高くなる。この場合、図８の例では、ポイントは「８」になる。そして、風向が１６番から１２番になるにしたがって、ポイントは段階的に小さくなり、風向が１２番のときにポイントが「０」になる。
【００６８】
一方、風向が４番から８番になるにしたがって、ポイントは負の値になり、段階的に小さくなる。図８の例では、風向が８番のときに、ポイントが最も低くなる。この場合、図８の例では、ポイントは「−８」になる。そして、風向が８番から１２番になるにしたがって、ポイントは段階的に大きくなり、風向が１２番のときにポイントが「０」になる。
【００６９】
従って、風向が１６番のときにポイントが最も高い正の値「８」となり、ポイントは、時計回りおよび反時計回りに段階的に低くなっていく。風向が４番および１２番のときに、ポイントは「０」になり、風向が８番のときにポイントが最も低い負の値「−８」となる。
【００７０】
なお、図８の風向ポイント表の例では、ポイントは「−８」から「８」までの値に設定されているが、ポイントは負の値を含まなくてもよい。例えば、図８の風向ポイントの表の各ポイントに「８」を加算して、ポイントが「０」から「１６」までの値に設定されてもよい。
【００７１】
ポイント処理部２４は、風速データに基づいて風速ポイントを判定し、風向データに基づいて風向ポイントを判定する。そして、ポイント処理部２４は、風向ポイントに風速ポイントを加算し、加算した値の絶対値を得る演算を行う。この演算結果が送風ポイントになる（ステップＳ１４）。
【００７２】
次に、第一次送風量決定部２６Ａは、第一次送風量を決定する（ステップＳ１５）。第一次送風量は、暫定的に決定される送風量である。図９に示す一例では、送風ポイントに応じた送風量を示している。図９の一例では、送風ポイントに応じて、「送風しない」、「弱風」、「強風」および「最強風」の４段階のレベルに送風量が分けられている。送風量のレベルは、４段階には限定されない。２段階または３段階でもよいし、５段階以上であってもよい。
【００７３】
送風量決定部２６は、第一次送風量決定部２６Ａが決定した送風量が「送風しない」、つまり「送風量＝０」であるか否かを判定する（ステップＳ１６）。例えば、図８の一例において、風向が８番、風速が１５ｍ／ｓ以上の場合、風向ポイントは「−８」、風速ポイントは「８」になる。
【００７４】
よって、風向ポイントに風速ポイントを加算した結果は「０」になる。この場合、第一次送風量は「０」になり、送風制御部２０は送風を行わないと決定する（ステップＳ１７）。従って、送風量指示部２７は、風発生装置２１Ａに対して風を発生させる制御を行わない。このため、送風装置５は送風を行わない。
【００７５】
なお、図８の例において、風向が８番の場合、風速にかかわらず、水飛沫が飛散する方向は、監視カメラ１の後方から前方に向かう方向である。よって、監視カメラ１のレンズ部３に水滴は付着しにくい。従って、風向が８番の場合は、風速にかかわらず、ステップＳ１６の判定をＹＥＳとしてもよい。
【００７６】
一方、第一次送風量が「０」でない場合、ステップＳ１６の判定はＮＯとなる。例えば、図８において、風向が３番、風速が９ｍ／ｓの場合、風向ポイントは「２」となり、風速ポイントは「３」となる。よって、送風ポイントは「５＝（２＋３）」になる。この場合、ステップＳ１６の判定はＮＯとなる。
【００７７】
図６は、続く処理のフローの一例を示している。通信部２２は、ゲート開閉制御装置１２からゲート状態データを受信する。通信部２２は、ゲート状態データを放流量判定部２５に出力する。ゲート状態データには、ダムの各ゲートの開放率が含まれている。
【００７８】
放流量判定部２５は、ゲート状態データに基づいて、放流量を判定する。放流量判定部２５は、各ゲートの開放率に基づいて、放流量を認識することができる。放流量判定部２５は、放流量が「０」の場合と、「０＜放流量≦放流量閾値」の場合と、「放流量≧放流量閾値」の場合とで、処理を分岐させる（ステップＳ１８）。
【００７９】
最終送風量決定部２６Ｂは、送風装置５が送風する送風量を決定する。放流量が「０」の場合は、放流されないため、放流による水飛沫は発生しない。従って、送風装置５から送風を行う必要がないため、最終送風量決定部２６Ｂは、送風を行わないと決定する（ステップＳ１９）。
【００８０】
放流量が「０」となる場合は、例えば、ダムのゲートの高さ位置よりもダムの貯水位が低い場合がある。この場合、ダムのゲートを開放したとしても、放流が行われることはない。放流量が「０」であるか否かは、例えばダムに設置した水位計等により判定することができる。各ゲートの高さ位置よりも水位計が示す水位が低い場合には、放流量は「０」になる。また、例えば、ダムの各ゲートに放流が行われたか否かを判定する計測器を設けることによっても、放流量が「０」であるか否かを判定することができる。
【００８１】
実施形態では、上述したように、放流量は、大または小の２段階のレベルに分けられている。また、放流量閾値は最大放流量の５０％になる。最終送風量決定部２６Ｂは、放流量が「０＜放流量＜放流量閾値」の場合には、放流量が小であると判定する。また、最終送風量決定部２６Ｂは、放流量が「放流量閾値≦放流量」の場合には、放流量が大であると判定する。
【００８２】
最終送風量決定部２６Ｂは、放流量が「０＜放流量＜放流量閾値」の場合、つまり放流量が小の場合、ポイント処理部２４が演算した送風ポイントを確認する（ステップＳ２０）。そして、最終送風量決定部２６Ｂは、放流量が小のときの最終送風量を決定する（ステップＳ２１）。
【００８３】
放流量が小のときには、飛散する水飛沫の量も少なくなる。この場合、風向が１６番であり、且つ風速が１５ｍ／ｓ以上の場合であっても、送風装置５が「強風」の送風を行うことで、監視カメラ１のレンズ部３に水滴が付着することを抑制できる。
【００８４】
この場合に、送風装置５が「最強風」の送風を行うと、風発生装置２１Ａが消費する電力の利用効率が低下する。このため、実施形態では、放流量が小のときには、最終送風量は「送風しない」から「強風」までの範囲に制限される。つまり、放流量が小のときには、送風量の最大量は制限される。
【００８５】
最終送風量決定部２６Ｂは、放流量が「放流量閾値≦放流量」の場合、ポイント処理部２４が演算した風速ポイントを確認する（ステップＳ２２）。そして、最終送風量決定部２６Ｂは、放流量が大のときの最終送風量を決定する（ステップＳ２３）。
【００８６】
放流量が大のときには、飛散する水飛沫の量も多くなる。従って、送風装置５は、図９の最強風に設定することで、多量の水飛沫による水滴が監視カメラ１のレンズ部３に付着することを抑制することができる。このため、放流量が大のときには、最終送風量は「送風しない」から「最強風」までとする。
【００８７】
なお、上述したように、風向ポイントが「０」から「１６」までの値に設定されているときには、最終送風量決定部２６Ｂは、送風ポイントが「８」のときに最終風量を「送風しない」に設定する。また、送風ポイントが「８＜送風ポイント＜１６」のときに、最終風量は「弱風」に設定される。また、送風ポイントが「１６≦送風ポイント＜２２」のときに、最終風量は「強風」に設定される。また、送風ポイントが「送風ポイント≧２２」のときには、最終風量は「最強風」に設定される。
【００８８】
次に、送風方向について説明する。送風制御部２０は、送風方向の制御を行うか否かを判定する（ステップＳ２４）。実施形態では、送風制御部２０は、送風方向の制御を行うものとする。従って、ステップＳ２４の判定はＹＥＳになる。
【００８９】
ただし、送風制御部２０は、送風方向の制御を行わなくてもよい場合がある。上述した最終送風量により、送風装置５は適切な送風量で監視カメラ１のレンズ部３の前面に送風を行う。これにより、空気流７はレンズ部３に水滴が付着することを抑制できる。一方、送風制御部２０が送風方向の制御を行うことにより、レンズ部３に水滴が付着することをより抑制することができる。
【００９０】
図７のフローは、図６のフローに続くフローである。図７のフローにおいて、送風方向の決定の一例が示されている。送風方向の決定は、送風方向決定部２８が行う。送風方向決定部２８は、送風量決定部２６から最終送風量決定部２６Ｂが決定した最終送風量を取得し、最終送風量を確認する（ステップＳ２５）。送風方向決定部２８が確認した最終送風量が「０」の場合、送風装置５は送風を行わないことから、送風方向の制御は行われない。
【００９１】
最終送風量が「０」でない場合、送風方向決定部２８は、送風方向を決定する（ステップＳ２６）。図９に送風方向決定の一例を示す。送風方向は、風向に対して逆らう方向になる。例えば、送風方向決定部２８は、風向が１６番の場合、送風方向は８番の向きに決定する。これにより、送風方向は風向に逆らう向きになる。
【００９２】
風向が７番、８番または９番の場合、風向は監視カメラ１の後方から前方に向く方向になる。よって、送風装置５が送風する方向を制御したとしても、監視カメラ１のレンズ部３に対する水滴の付着を抑制するという点においては、殆ど影響がない。従って、風向が７番、８番または９番の場合には、送風制御部２０は送風方向を制御しない。
【００９３】
図９の例では、風向１６番を除いた残りの１５方向の風向を３つずつのグループに分けて、グループごとに送風方向が決定される。図９は、１つのグループに属する風向が３つの例を示しているが、１つのグループに属する風向は３つ以外であってもよい。
【００９４】
送風方向決定部２８は、決定した送風方向を送風方向指示部２９に出力する。送風方向指示部２９は入力した送風方向で送風を行うように、送風方向制御装置２１Ｂに指示を出す（ステップＳ２８）。
【００９５】
図１０は、送風装置５が送風を行う送風方向の変化の一例を示している。図１０（Ａ）は、送風装置５は、送風孔６から垂直方向下方に向けて送風を行っている例を示している。従って、空気流７は垂直方向下方に形成される。
【００９６】
図１０（Ｂ）は、送風孔６のスリットをコントロールして、送風方向を垂直方向下方から８番の方向（図１０（Ｂ）の破線の方向）に向けた例を示している。図１０（Ｂ）に示されるように、送風方向制御装置２１Ｂは、送風方向を垂直方向下方から８番の方向に所定角度傾斜させる。これにより、風向が１６番（図１０（Ａ）の実線の方向）であったとしても、空気流７は、８番の方向のベクトル成分を有しているため、空気流７は１６番の風向に対して逆らうことができる。
【００９７】
従って、図１０（Ａ）に示すように、送風装置５が送風する方向が垂直方向下方の場合よりも、図１０（Ｂ）に示すように、送風装置５が送風する方向を風向に逆らう方向に傾斜させている。従って、図１０（Ｂ）に示した送風方向の方が、監視カメラ１のレンズ部３に水滴が付着しにくくなる。
【００９８】
以上により、送風制御部２０は、決定した送風方向で送風されるように送風方向制御装置２１Ｂを制御する。次に、図７のフローに示すように、送風量指示部２７は、決定した最終送風量を風発生装置２１Ａに指示する（ステップＳ２８）。図６のステップＳ２４で送風方向の制御を行わない場合には、このステップＳ２８の処理が行われる。
【００９９】
送風量決定部２６は、監視カメラ１に対する風向および風速に基づいた、適切な送風量を決定している。送風量指示部２７は、この適切な送風量で送風を行うように、風発生装置２１Ａに対して指示を出す。これにより、送風装置５は、監視カメラ１に対する風向および風速に基づいた、適切な送風量で監視カメラ１の前面に送風を行うことができる。
【０１００】
また、送風制御部２０が送風方向の制御を行う場合には、監視カメラ１に対する風向に基づいた適切な送風方向を送風方向決定部２８が決定する。送風方向制御装置２１Ｂは、送風方向決定部２８が決定した方向に送風するように送風孔６をコントロールすることで、送風装置５の送風方向を適切な方向にすることができる。
【０１０１】
これにより、送風装置５は、監視カメラ１のレンズ部３の前面に対して送風を開始する（ステップＳ２９）。監視カメラ１のレンズ部３の前面に形成される空気流７は、レンズ部３に向かう水飛沫を遮る。送風装置５は、適切な送風量および送風方向で送風を行っているため、レンズ部３に水滴が付着することを抑制することができる。
【０１０２】
以上が図４の例におけるステップＳ２の送風制御である。次に、図４の例におけるステップＳ４の送風制御について説明する。上述したように、ステップＳ４の送風制御は、ステップＳ２の送風制御とほぼ同じである。
【０１０３】
ステップＳ４の送風制御は、風向風速計１１が計測する風向または風速に変化を生じたときに行われる。実施形態では、風向風速計１１は、所定間隔ごと（例えば、ｎ分（ｎは自然数）ごと）または常に、送風制御部２０に風向風速データを送信する。送風制御部２０は、風向風速データに変化を生じたときに、監視カメラ１に対する風向、風速が変化したことを認識する。
【０１０４】
ステップＳ４の送風制御について、図５乃至図７のフローチャートを用いて説明する。図５のステップＳ１１の基本送風量の確認は、既にステップＳ２の送風制御の処理で行われているため、省略することができる。
【０１０５】
ステップＳ４の送風制御を行うときには、放流量が変化している可能性がある。従って、放流量判定部２５は再び放流量を判定する。また、風向データと風速データとのうち少なくとも一方は変化しているため、ポイント処理部２４は、ステップＳ１２で風速ポイントを判定し、ステップＳ１３で風向ポイントを判定する。
【０１０６】
なお、送風制御部２０が、風向データと風速データとのうち変化したデータを認識できる場合には、ステップＳ１２またはステップＳ１３を省略してもよい。例えば、送風制御部２０が、風速データは変化せず、風向データが変化したことを認識できる場合には、ステップＳ１２の風速ポイント判定を省略してもよい。
【０１０７】
ポイント処理部２４は、ステップＳ１４でポイント演算を行い、ステップＳ１５で第一次送風量を決定する。第一次送風量決定部２６Ａは、ステップＳ１６において、第一次送風量が「０」であると判定したときには、ステップＳ１７において、送風を行わないことを決定する。
【０１０８】
最終送風量決定部２６Ｂは、ステップＳ１８において、放流量に応じて、処理を分岐させる。放流量が「０」であれば、ステップＳ１９において、最終送風量決定部２６Ｂは送風を行わないことを決定する。
【０１０９】
放流量が「０＜放流量＜放流量閾値」の場合には、最終送風量決定部２６Ｂは、ステップＳ２０において送風ポイントを確認し、ステップＳ２１において放流量が小のときの最終送風量を決定する。一方、放流量が「放流量≧放流量閾値」の場合には、最終送風量決定部２６Ｂは、ステップＳ２２において送風ポイントを確認し、ステップＳ２３において放流量が大のときの最終送風量を決定する。これにより、新しい最終送風量が決定される。
【０１１０】
次に、送風制御部２０は、ステップＳ２４において、送風方向の制御を行うか否かを判定し、送風方向の制御を行わない場合には、処理がステップＳ２８に進む。一方、送風方向の制御を行う場合には、送風方向決定部２８は、ステップＳ２５において、最終送風量を確認する。最終送風量が「０」の場合には、送風制御部２０は送風方向の制御を行わない。
【０１１１】
風向データが変化している場合には、送風方向決定部２８は、ステップＳ２６において、新たな送風方向を決定する。送風方向指示部２９は、ステップＳ２７において、新たな送風方向を送風方向制御装置２１Ｂに指示する。一方、風向データが変化していない場合には、ステップＳ２５〜Ｓ２７の処理を省略することができる。また、送風量指示部２７は、ステップＳ２８において、新しい送風量を風発生装置２１Ａに指示する。
【０１１２】
以上により、風向データと風速データとのうち少なくとも一方に変化を生じたときに、風発生装置２１Ａは、新たな送風量および送風方向で送風を行う。新たな送風量および送風方向は、変化を生じた風向および風速を反映したものになる。よって、送風装置５は適切な送風量および送風方向で、送風を行うことができる。
【０１１３】
送風装置５が送風する送風量は、監視カメラ１に対する風向および風速に基づいて決定される。このため、送風装置５は、適切な送風量でレンズ部３を保護する送風を行うことができる。これにより、監視カメラ１のレンズ部３に水滴が付着することを抑制できる。監視カメラ１のレンズ部３に水滴が付着することを抑制できるため、監視カメラ１が撮影する映像が不鮮明になることを抑制することができる。
【０１１４】
また、監視カメラ１はワイパーを備えていてもよいが、空気流７によりレンズ部３は水飛沫から保護される。監視カメラ１に対する風向および風速に応じた適切な送風量の空気流７がレンズ部３の前面に形成されることから、ワイパーが不要になる場合がある。この場合、監視カメラ１が撮影する映像にワイパーの映り込みをなくすことができる。
【０１１５】
送風装置５が、監視カメラ１に対する風向および風速に応じた適切な送風量の送風を行ったとしても、レンズ部３に水滴が付着することを完全に防止することができない可能性もある。この場合、監視カメラ１にワイパーを設けてもよい。
【０１１６】
ただし、送風装置５が監視カメラ１のレンズ部３の前面に適切な送風量の送風を行っていることで、ワイパーの使用頻度は少なくなる。これにより、監視カメラ１が撮影する映像に対するワイパーの映り込みを少なくすることができる。また、ワイパーの交換頻度および洗浄液の消費量も少なくなる。これにより、頻繁にメンテナンスを行う必要がなくなる。
【０１１７】
また、図９の例に示したように、送風量決定部２６は、放流量に応じて送風量を決定することもできる。放流量が少なければ、飛散する水飛沫の量も少なくなるため、送風装置５から送風される送風量が弱くても、レンズ部３に水滴が付着することを抑制することができる。送風装置５からの送風量が弱くなれば、風発生装置２１Ａが消費する電力も少なくなる。
【０１１８】
一方、放流量が多ければ、飛散する水飛沫の量も多くなる。このため、送風装置５から送風される送風量を強く設定することが可能になる。送風装置５から送風される送風量を強く設定することにより、空気流７によるレンズ部３の保護機能が向上する。従って、放流量が多い場合でも、レンズ部３に水滴が付着することを防止することができる。
【０１１９】
また、送風装置５は、送風量だけでなく、送風方向をコントロールすることもできる。送風装置５は、送風する方向を風向の逆方向にコントロールすることで、飛散する水飛沫を跳ね返す方向に送風することができる。これにより、レンズ部３に水滴が付着することを防止する機能が向上する。
【０１２０】
また、ゲート開閉制御装置１２は、放流開始時に放流開始情報を送風制御部２０に送信し、放流終了時に放流終了情報を送風制御部２０に送信している。送風制御部２０は、放流開始情報に基づいて送風を開始し、放流終了情報に基づいて送風を停止している。つまり、放流の開始に連動して送風装置５は送風を開始し、放流の終了に連動して送風装置５は送風を停止している。
【０１２１】
このとき、手動により、送風装置５を操作するのではなく、ダムの放流開始に連動して送風装置５の送風を開始するため、放流中には送風装置５による送風が行われる。これにより、レンズ部３に水滴が付着することを抑制できる。
【０１２２】
また、ダムの放流停止に連動して送風装置５は送風を停止するため、ダムの放流が停止されたにもかかわらず、送風装置５が送風を継続することがなくなる。これにより、無駄に電力が消費されることを防ぐことができる。
【０１２３】
なお、放流終了情報を受信してから、所定時間経過後に送風を停止してもよく、さらに所定時間は風速風向データに基づいて決定してもよい。
【０１２４】
次に、具体例について説明する。最初に、風向データが示す方向が図８の例の１６番であり、風速データが示す風速が１６ｍ／ｓであったとする。この場合、監視カメラ１のレンズ部３に向かって、強い風が吹いていることになる。風向ポイントは「８」であり、風速ポイントも「８」である。よって、送風ポイントは、両者を加算して、「１６」になる。
【０１２５】
このとき、放流量が大の場合には、多量の水が放流されていることになり、飛散する水飛沫の量も多くなる。そして、監視カメラ１のレンズ部３に向かって、強い風が吹いている。このため、レンズ部３には多量の水滴が付着しやすくなる。
【０１２６】
従って、最終送風量決定部２６Ｂは、最終送風量を最強風に決定する。また、風向データは１６番を示しているため、送風方向決定部２８は、送風方向を８番に決定する。これにより、送風装置５の送風孔６から、水飛沫の飛散方向に逆らう方向に強い送風がレンズ部３の前面に供給される。このため、水飛沫は空気流７に遮られて、レンズ部３に水滴が付着することを抑制することができる。
【０１２７】
一方、放流量が少ない場合には、飛散する水飛沫の量も少ない。従って、風速ポイントが「１６」であっても、最終送風量決定部２６Ｂは、最終送風量を「強風」に設定する。風向データは１６番を示しているため、送風方向決定部２８は、送風方向を８番に決定する。
【０１２８】
この場合、飛散する水飛沫の量が少ないため、最終送風量が「強風」であっても、レンズ部３に水滴が付着することを抑制することができる。また、送風装置５は、「最強風」で送風を行わなくても、レンズ部３に水滴が付着することを抑制できるため、「最強風」に設定した場合と比較して、電力消費を少なくすることができる。
【０１２９】
次に、風向データが示す方向が６番であり、風速データ示す風速が１６ｍ／ｓであったとする。この場合、風向データが示す方向が６番であるため、風向ポイントは「−４」になる。一方、風速が１６ｍ／ｓであるため、風速ポイントは「８」になる。よって、両者を加算した結果は「−４」になる。ポイント処理部２４は、加算結果の絶対値を送風ポイントとする。
【０１３０】
従って、この場合の送風ポイントは「４」になる。送風ポイントが「４」の場合、放流量の大小にかかわらず、最終送風量は「弱風」になる。また、風向データが示す方向が６番であるため、送風方向は１２番の方向に決定される。
【０１３１】
この場合、風速自体は強いが、風向は監視カメラ１の斜め後方から監視カメラ１に向かう方向となる。従って、風速が強いとしても、水滴はレンズ部３に付着しにくくなる。このため、送風装置５が送風する送風量が「弱風」であったとしても、レンズ部３に水滴が付着することを抑制することができる。
【０１３２】
次に、風速ポイントの他の例について説明する。図８の例では、風速ポイントは風速によって４つのレベルに分けられていた。図１１の例では、風速ポイントは風速によって５つのレベルに分けられている。
【０１３３】
例えば、風向データが示す風向が１番のときには、風向ポイントは「６」になる。一方、風速データが示す風速が１７ｍ／ｓのときには、風速ポイントは「７」になる。よって、送風ポイントは「１３（＝６＋７）」になる。
【０１３４】
図９の例で示したように、送風ポイントが「１３」の場合は、最終送風量は「強風」に決定される。また、風向データが示す風向が１番であるため、送風方向は１０番に決定される。よって、送風装置５は、送風量が「強風」、且つ送風方向が１０番の方向の送風を行う。
【０１３５】
また、例えば、風向データが示す風向が１６番のときには、風向ポイントは「８」になる。また、風速データが示す風速が２３ｍ／ｓのときには、風速ポイントは「８」になる。よって、送風ポイントは「１６（＝８＋８）」になる。
【０１３６】
図９の例で示したように、送風ポイントが「１６」の場合は、最終送風量は「最強風」に決定される。また、風向データが１番であるため、送風方向は１０番に決定される。よって、送風装置５は、送風量が「最強風」、且つ送風方向が１０番の送風を行う。
【０１３７】
次に、送風制御部２０のハードウェア構成の一例について説明する。図１２の一例に示すように、送風制御部２０は、バス４０に対して、プロセッサ４１とＲＡＭ(Random Access Memory)４２とＲＯＭ(Read Only Memory)４３と補助記憶装置４４と周辺機器接続部４５と通信インタフェース４６と可搬型記憶装置接続部４７とが接続されている。
【０１３８】
プロセッサ４１はＣＰＵ（Central Processing Unit)のような任意の処理回路である。プロセッサ４１はＲＡＭ４２に展開されたプログラムを実行する。実行されるプログラムとしては、実施形態の処理を実現する送風制御プログラムを適用することができる。ＲＯＭ４３はＲＡＭ４２に展開されるプログラムを記憶する不揮発性の記憶装置である。
【０１３９】
補助記憶装置４４は、種々の情報を記憶する記憶装置であり、例えばハードディスクドライブや半導体メモリ等を補助記憶装置４４に適用することができる。周辺機器接続部４５は、ディスプレイ４８および入力デバイス４９を接続する。
【０１４０】
通信インタフェース４６は、外部との通信を行うときのインタフェースである。可搬型記憶装置接続部４７は、可搬型記憶装置５０と接続可能に設けられている。可搬型記憶装置５０としては、可搬型のメモリや光学式ディスク（例えば、ＣＤ（Compact Disk)やＤＶＤ（Digital Video Disk)等）を適用することができる。実施形態の処理を行う送風制御プログラムは、コンピュータ読み取り可能な記録媒体に記録されていてもよい。この場合、記録媒体に可搬型記憶装置５０を適用することができる。
【０１４１】
ＲＡＭ４２、ＲＯＭ４３および補助記憶装置４４は、何れもコンピュータ読み取り可能な有形の記憶媒体の一例である。これらの有形な記憶媒体は、信号搬送波のような一時的な媒体ではない。
【０１４２】
図３で一例として示した送風制御部２０のうち、通信部２２は通信インタフェース４６により実現されてもよい。ポイント表記憶部２３は、ＲＯＭ４３やＲＡＭ４２等に記憶されてもよい。その他の送風制御部２０の各部は、例えばプロセッサ４１で実行されるプログラムにより実現されてもよい。また、その他の必要な情報（例えば、基本送風量の情報等）はＲＯＭ４３やＲＡＭ４２等に記憶されてもよい。
【０１４３】
開示の実施形態とその利点について詳しく説明したが、当業者は、特許請求の範囲に明確に記載した本発明の範囲から逸脱することなく、様々な変更、追加、省略をすることができるであろう。
【０１４４】
以上の実施形態に関し、更に以下の付記を開示する。
（付記１）
貯水施設を監視する監視カメラに対する風向のデータおよび風速のデータに基づいて、前記監視カメラの撮影視野の前面に送風を行う送風量を制御する、
処理をコンピュータに実行させる送風制御プログラム。
（付記２）
前記風向のデータに基づいて、前記送風の送風方向を制御する、
処理を前記コンピュータに実行させる付記１記載の送風制御プログラム。
（付記３）
前記貯水施設が放流を開始したことを示す情報を受信したときに、送風を開始する制御を行い、前記貯水施設が放流を終了したことを示す情報を受信したときに、送風を停止する制御を行う、
処理を前記コンピュータに実行させる付記１記載の送風制御プログラム。
（付記４）
前記貯水施設に備えられるゲートの開放率のデータを受信し、
全ての前記ゲートの開放率がゼロから変化したときに、前記送風を開始するように制御し、全ての前記ゲートの開放率がゼロに変化したときに、前記送風を停止するように制御する、
処理を前記コンピュータに実行させる付記１記載の送風制御プログラム。
（付記５）
前記貯水施設から放流される放流量に応じて前記送風量を制御する、
処理を前記コンピュータに実行させる付記１記載の送風制御プログラム。
（付記６）
前記放流量によって、前記送風量の最大量を制限する、
処理を前記コンピュータに実行させる付記５記載の送風制御プログラム。
（付記７）
前記貯水施設に備えられる１または複数のゲートの開放率のデータを受信し、
前記ゲートの開放率に基づいて、前記放流量を判定する、
処理を前記コンピュータに実行させる付記５記載の送風制御プログラム。
（付記８）
前記風速のデータと複数の風速に対応したポイントを示す風速ポイント表とに基づいて、前記監視カメラに対する風速のポイントを判定し、
前記風向のデータと複数の風向に対応したポイントを示す風向ポイント表とに基づいて、前記監視カメラに対する風向のポイントを判定し、
前記風向のポイントと前記風速のポイントとを加算し、加算した結果に基づいて、前記送風量を決定する、
処理を前記コンピュータに実行させる付記１記載の送風制御プログラム。
（付記９）
前記風向ポイント表は、前記監視カメラの撮影視野に対して相対する方向からの風向のポイントが最も高く、時計回りおよび反時計回りに、段階的にポイントが低くなり、前記相対する方向の反対方向の風向のポイントが最も低くなる表であり、
前記風向ポイント表に基づいて、前記監視カメラに対する風向のポイントを判定する、
処理を前記コンピュータに実行させる付記８記載の送風制御プログラム。
（付記１０）
前記送風量がゼロでないときに、前記風向のデータに基づいて、前記送風装置が送風する送風方向を制御する、
処理を前記コンピュータに実行させる付記１記載の送風制御プログラム。
（付記１１）
貯水施設を監視する監視カメラに対する風向のデータおよび風速のデータに基づいて、前記監視カメラの撮影視野の前面に送風する送風装置の送風量を制御する、
送風制御方法。
（付記１２）
貯水施設を監視する監視カメラに対する風向のデータおよび風速のデータに基づいて、前記監視カメラの撮影視野の前面に送風する送風量を決定する決定部、
を備える送風制御装置。
（付記１３）
貯水施設を監視する監視カメラに対する風向および風速を測定する測定装置と、
前記監視カメラの撮影視野の前面に送風する送風装置と、
前記送風装置を制御する送風制御装置と、
を備え、
前記送風制御装置は、前記監視カメラに対する風向のデータおよび風速のデータを前記測定装置から受信して、前記風向および風速のデータに基づいて、前記監視カメラの撮影視野の前面に送風する送風量を決定する決定部を備える、
監視カメラシステム。
【符号の説明】
【０１４５】
１      監視カメラ
３      レンズ部
５      送風装置
７      空気流
１０    監視カメラシステム
１１    風向風速計
１２    ゲート開閉制御装置
２０    送風制御部
２１Ａ  風発生装置
２１Ｂ  送風方向制御装置
２３    ポイント表記憶部
２４    ポイント処理部
２５    放流量判定部
２６    送風量決定部
２７    送風量指示部
２８    送風方決定部
２９    送風方向指示部
４１    プロセッサ
４２    ＲＡＭ
４３    ＲＯＭ
【図１】
2015156538.tif 000003
【図２】
2015156538.tif 000004
【図３】
2015156538.tif 000005
【図４】
2015156538.tif 000006
【図５】
2015156538.tif 000007
【図６】
2015156538.tif 000008
【図７】
2015156538.tif 000009
【図８】
2015156538.tif 000010
【図９】
2015156538.tif 000011
【図１０】
2015156538.tif 000012
【図１１】
2015156538.tif 000013
【図１２】
2015156538.tif 000014